(57)【特許請求の範囲】
【請求項１】
遊技機を構成する遊技機構成部材の脱着状態を検出し、該遊技機構成部材が遊技機から脱着されたことを異常として検知する状態検知部と、前記状態検知部で前記異常を検知した場合、該検知結果を保持する検知結果保持部と、前記検知結果保持部が保持している前記検知結果を外部に通知するための通知情報を出力する情報通知部とを備え、電源から電力が供給状態である場合に充電され、電力が非供給状態である場合に放電することで前記状態検知部と前記検知結果保持部に電力を供給可能なバックアップ電源を設けた遊技機用セキュリティ装置を搭載する遊技機において、
前記検知結果保持部は、前記状態検知部が前記異常を検知していない通常状態及び前記状態検知部が前記異常を検知した異常状態に切替えうる切替スイッチと、前記状態検知部が前記異常を検知していない場合には前記電源又は前記バックアップ電源から電力が供給されず前記切替スイッチの状態を保持する一方で、前記状態検知部が前記異常を検知している場合には前記電源又は前記バックアップ電源から電力が供給されて前記切替スイッチの状態を前記通常状態から前記異常状態に切替えるラッチングリレー回路から構成され、
前記切替スイッチが前記異常状態であって、前記電源から電力が供給状態である場合のみに外部操作が有効とされ、該外部操作が実行されることにより前記ラッチングリレー回路に電力を供給して前記切替スイッチの状態を前記異常状態から前記通常状態へと切替えるリセット手段と、
前記電源及び前記バックアップ電源とは別に設けられ、前記情報通知部に電力を供給する通知部電源とを備え、
前記情報通知部は、前記電源が供給状態であって前記切替スイッチが前記通常状態である場合には前記電源から電力が供給されないことで前記通知情報を出力せずに、前記電源が供給状態であって前記切替スイッチが前記異常状態である場合には前記電源から電力が供給されることで前記通知情報を出力し、
前記通知部電源は、前記リセット手段の外部操作により前記異常状態から前記通常状態に切替えられた場合に前記情報通知部へ電力を供給し、該電力を供給された前記情報通知部が前記通知情報を出力することを特徴とする遊技機。
【請求項２】
前記通知部電源は、充放電可能な蓄電手段であって、
前記異常状態時に前記電源から電力が供給されることで充電を行い、前記リセット手段の外部操作により前記異常状態から前記通常状態に切替えられた場合に電力を放電することで前記情報通知部に電力を供給することを特徴とする請求項１に記載の遊技機。
【請求項３】
前記蓄電手段は、コンデンサであって、
前記異常状態時に前記電源から電力が供給されることで充電を行い、前記電源から電力の供給が停止した場合に電力を放電することで前記情報通知部に電力を供給することを特徴とする請求項２に記載の遊技機。
【発明の詳細な説明】
【技術分野】
【０００１】
本発明は、電力が供給状態である場合に充電され、電力が非供給状態である場合に放電することで電力を供給可能なバックアップ電源を設けた遊技機用セキュリティ装置を搭載する遊技機に関するものである。
【背景技術】
【０００２】
従来から遊技機には、当該遊技機の動作内容（ゲームの演出や各種報知動作）を制御するＣＰＵ、ＲＯＭやＲＡＭ等の制御素子を実装する制御基板が収納ケースに収納されて装着されている。このような遊技機では、収納ケースを開放して制御素子又は制御基板を不正に製造された制御素子又は制御基板に交換したり、或いは不正に製造された制御装置に制御装置自体を交換するといった不正行為が行われる場合がある。そして、前記不正に製造された制御素子、制御基板又は制御装置により、不正に遊技球又は遊技メダルなどの遊技媒体を獲得し不当な利益を得ることを考える第三者がいた。また、前記不正行為は、遊技店の従業員が不在で監視が薄くなる夜間などに行われることが多い。さらに、夜間の遊技店では、遊技機への電力供給がなされていないことが多く、遊技店の営業中のように遊技機の扉の開放を従業員に通知（報知）したりすることが困難な状況にある。このため、夜間の遊技店においても、前記不正行為を防止することができるようにした遊技機がある（例えば特許文献１）。
【０００３】
特許文献１では、遊技機の扉の開閉を検出する遊技機開検出装置により、該遊技機の扉が開閉されたか否かが報知されるようになっている。遊技機開検出装置は、遊技機の扉の開閉に連動して接点が開閉するスイッチと、外部電源から電力が供給されることで充電される電解コンデンサと、電力を供給することで前記接点状態を通常の接点状態（開接点状態）から逆の接点状態（閉接点状態）に切り替えることができるコイルを有するラッチングリレーとを備えている。ラッチングリレーでは、遊技機の扉が開状態の場合、開接点状態となり、扉が閉状態の場合、開接点状態とは逆の閉接点状態となる。そして、遊技機開検出装置は、ラッチングリレーの接点状態に基づき、開接点状態の場合には、扉が開放されている又は扉が開放されたことを示す情報を外部に出力するようにしている。さらに、ラッチングリレーは開接点状態である場合、電力が供給されることで接点状態を閉接点状態に戻すことができるリセットコイルを有している。リセットコイルは、外部電源から電力を供給することができるリセット回路を備え、専用のキーにより接点状態が開接点状態の場合、該リセット回路に電力を供給することができるようになっている。すなわち、遊技機開検出装置により、遊技機が開状態であることが外部に出力された場合、前記専用のキーにより、該出力状態を解除（リセット）することができるようになっている。
【特許文献１】特開２０００−１１３７５７号公報
【発明の開示】
【発明が解決しようとする課題】
【０００４】
しかしながら、特許文献１に記載の遊技機開検出装置において、遊技機開検出装置の検出結果をリセット可能な前記専用のキーは、不正に入手されることも考えられる。すなわち、不正に前記専用のキーを入手した場合、該キーによりリセット回路への電力の通電を許しながら遊技機の扉を開状態とすれば、遊技機開検出装置に開状態を検出されずに遊技機の扉を開状態とする不正行為も可能であった。このような不正行為を防止するため、特許文献１では、前記リセットコイルと、前記専用のキーの間にリレー回路を介在させ、リセット回路に電力が供給されてから、接点状態が切替わるまでの時間を遅らせるようにしている。すなわち、遊技機開検出装置は、前記時間を遅らせることにより該時間の間は少なくとも遊技機の扉を開状態であることを示す情報を出力することができる。しかし、外部管理システムは、ノイズによる誤検出防止のため一瞬だけ入力する信号に対してはその入力を有効としない場合がある。したがって、リセット回路に電力が供給されてから、接点状態が切替わるまでの時間は非常に微小であり、入力側である外部管理システムなどは、遊技機開検出装置が遊技機の扉が開状態であることを示す信号を入力しても、該信号をノイズと間違えてしまい正しく認識できない可能性があった。
【０００５】
本発明は、このような実情に鑑みてなされたものであり、その目的は、電源からの電力供給が停止した場合であっても、継続して通知情報を出力することができる遊技機を提供することにある。
【課題を解決するための手段】
【０００６】
上記目的を達成するために、請求項１に記載の発明は、遊技機を構成する遊技機構成部材の脱着状態を検出し、該遊技機構成部材が遊技機から脱着されたことを異常として検知する状態検知部と、前記状態検知部で前記異常を検知した場合、該検知結果を保持する検知結果保持部と、前記検知結果保持部が保持している前記検知結果を外部に通知するための通知情報を出力する情報通知部とを備え、電源から電力が供給状態である場合に充電され、電力が非供給状態である場合に放電することで前記状態検知部と前記検知結果保持部に電力を供給可能なバックアップ電源を設けた遊技機用セキュリティ装置を搭載する遊技機において、前記検知結果保持部は、前記状態検知部が前記異常を検知していない通常状態及び前記状態検知部が前記異常を検知した異常状態に切替えうる切替スイッチと、前記状態検知部が前記異常を検知していない場合には前記電源又は前記バックアップ電源から電力が供給されず前記切替スイッチの状態を保持する一方で、前記状態検知部が前記異常を検知している場合には前記電源又は前記バックアップ電源から電力が供給されて前記切替スイッチの状態を前記通常状態から前記異常状態に切替えるラッチングリレー回路から構成され、前記切替スイッチが前記異常状態であって、前記電源から電力が供給状態である場合のみに外部操作が有効とされ、該外部操作が実行されることにより前記ラッチングリレー回路に電力を供給して前記切替スイッチの状態を前記異常状態から前記通常状態へと切替えるリセット手段と、前記電源及び前記バックアップ電源とは別に設けられ、前記情報通知部に電力を供給する通知部電源とを備え、前記情報通知部は、前記電源が供給状態であって前記切替スイッチが前記通常状態である場合には前記電源から電力が供給されないことで前記通知情報を出力せずに、前記電源が供給状態であって前記切替スイッチが前記異常状態である場合には前記電源から電力が供給されることで前記通知情報を出力し、前記通知部電源は、前記リセット手段の外部操作により前記異常状態から前記通常状態に切替えられた場合に前記情報通知部へ電力を供給し、該電力を供給された前記情報通知部が前記通知情報を出力することを要旨とする。
【０００７】
請求項２に記載の発明は、請求項１に記載の遊技機において、前記通知部電源は、充放電可能な蓄電手段であって、前記異常状態時に前記電源から電力が供給されることで充電を行い、前記リセット手段の外部操作により前記異常状態から前記通常状態に切替えられた場合に電力を放電することで前記情報通知部に電力を供給することを要旨とする。
【０００８】
請求項３に記載の発明は、請求項２に記載の遊技機において、前記蓄電手段は、コンデンサであって、前記異常状態時に前記電源から電力が供給されることで充電を行い、前記電源から電力の供給が停止した場合に電力を放電することで前記情報通知部に電力を供給することを要旨とする。
【発明の効果】
【０００９】
本発明によれば、電源からの電力供給が停止した場合であっても、継続して通知情報を出力することができる。
【発明を実施するための最良の形態】
【００１０】
以下、本発明をその一種であるパチンコ遊技機（以下、「パチンコ機」と示す）に具体化した一実施形態を図１〜図７に基づき説明する。
図１には、パチンコ機１０の機表側が略示されており、機体の外郭をなす外枠１１の開口前面側には、各種の遊技用構成部材をセットする縦長方形の中枠１２が開閉及び着脱自在に組み付けられている。また、中枠１２の前面側には、機内部に配置された遊技盤１３を透視保護するためのガラス枠を備えた前枠１４と上球皿１５が共に横開き状態で開閉可能に組み付けられている。また、前枠１４の前面側及び遊技盤１３の遊技領域１３ａには、点灯（点滅）又は消灯し、発光装飾に基づく遊技演出（発光演出）を行う装飾ランプ１６が設けられている。また、外枠１１の前面には、各種音声（効果音）を出力し、音声出力に基づく遊技演出（音声演出）を行うスピーカ１７が設けられている。中枠１２の下部には、下球皿１８及び発射装置１９が装着されている。また、中枠１２には、前記発射装置１９で打球された遊技球を遊技領域１３ａに案内する発射レール（図示しない）が設けられている。
【００１１】
遊技盤１３の遊技領域１３ａの略中央には、液晶ディスプレイ型の可変表示器Ｈを備えたセンター役物２０が配設されている。前記センター役物２０では、可変表示器Ｈの変動画像（又は画像表示）に基づく遊技演出（表示演出）が行われる。また、センター役物２０の下方には、図示しないアクチュエータ（ソレノイド、モータなど）の作動により開閉動作を行う開閉羽根２１を備えた始動入賞口２２が配設されている。また、始動入賞口２２の下方には、図示しないアクチュエータ（ソレノイド、モータなど）の作動により開閉動作を行う大入賞口扉２３を備えた大入賞口２４が配設されている。始動入賞口２２又は大入賞口２４に遊技球が入賞すると、遊技者には遊技球（賞球）が払い出される。
【００１２】
次に、パチンコ機１０の機裏側を図２に基づき説明する。
パチンコ機１０の機裏側であって中枠１２には、機構枠２５（図２参照）が着脱自在に組み付けられている。この機構枠２５には、前枠１４、上球皿１５、各種球通路（球タンク２６、整流樋２７、区分供給経路部２８、案内通路３０）及び各種処理部（主制御基板３１、表示制御基板３２、ランプ制御基板３３、音声制御基板３４、電源基板３５、電源スイッチ基板３６、払出制御基板３８）などが配設されている。具体的には、機内部において遊技球を貯留する球タンク２６、当該球タンク２６から受け入れた遊技球を整流する整流樋２７、当該整流樋２７から受け入れた遊技球を流下案内する区分供給経路部２８が設けられている。また、機構枠２５には、区分供給経路部２８を流下案内された遊技球を通過検出し、一定個数単位で遊技球を払出す払出装置２９と、当該払出装置２９から払出された遊技球を上球皿１５又は下球皿１８に案内する案内通路３０が設けられている。
【００１３】
また、パチンコ機１０の機裏側であって機構枠２５には、パチンコ機１０全体を制御する遊技機構成部材としての主制御基板３１が装着されている。主制御基板３１は、パチンコ機１０全体を制御するための各種処理を実行し、該処理結果に応じて遊技を制御するための各種の制御信号（制御コマンド）を演算処理し、該制御信号（制御コマンド）を出力する。また、機裏側であって機構枠２５には、表示制御基板３２と、ランプ制御基板３３と、音声制御基板３４とが装着されている。表示制御基板３２は、主制御基板３１が出力した制御信号（制御コマンド）に基づき、センター役物２０（可変表示器Ｈ）の表示態様（図柄、背景、文字などの表示画像など）を制御する。ランプ制御基板３３は、主制御基板３１が出力した制御信号（制御コマンド）に基づき、装飾ランプ１６の発光態様（点灯（点滅）／消灯のタイミングなど）を制御する。また、音声制御基板３４は、主制御基板３１が出力した制御信号（制御コマンド）に基づき、スピーカ１７の音声出力態様（音声の種類及び音声出力のタイミングなど）を制御する。
【００１４】
また、機構枠２５において遊技盤１３の裏側には、保護カバー４７が開閉可能に装着されており、該保護カバー４７の背面には、遊技場の電源ＡＣ（例えば、ＡＣ２４Ｖ）が供給され、パチンコ機１０に電源を供給する電源基板３５が装着されている。また、電源基板３５の右側には、パチンコ機１０に電源を供給するか否かを切替えるスイッチ素子を備えた電源スイッチ基板３６が装着されている。また、保護カバー４７の前面側であって遊技盤１３の裏側には、表示制御基板３２、ランプ制御基板３３が設けられ、該保護カバー４７で保護されるようになっている。また、保護カバー４７の下方側には（機構枠２５の下方には）、主制御基板３１が装着されている。主制御基板３１は、収容ケース３７によりかしめられており、該収容ケース３７を介して機構枠２５に装着されるようになっている。収容ケース３７は、機構枠２５（パチンコ機１０）に該収容ケース３７の一方が取付部３７ａにより回動可能に取付けられているとともに、他方が該収容ケース３７に備えるピン孔３７ｂを機構枠２５に備えるピンｈに挿入することで取付けられるようになっている。
【００１５】
また、主制御基板３１の右方には、パチンコ機１０の左右方向に沿って所定の間隔（空間Ｋ）を空けて払出制御基板３８が装着されている。払出制御基板３８は、主制御基板３１に接続されており、主制御基板３１から出力された制御信号（賞球払出信号など）に基づき、賞球（遊技球）を払い出させるように払出装置２９を制御（払出制御）するようになっている。また、払出制御基板３８は、主制御基板３１同様に収容ケース３９によりかしめられており、該収容ケース３９を介して機構枠２５に装着されるようになっている。収容ケース３９は、機構枠２５（パチンコ機１０）に当該収容ケース３９の一方が取付部３９ａにより回動可能に取付けられているとともに、他方が該収容ケース３９に備えるピン孔３９ｂを機構枠２５に備えるピンｈに挿入することで取付けられるようになっている。また、払出制御基板３８の下方には、音声制御基板３４が装着されている。
【００１６】
本実施形態のパチンコ機１０において、主制御基板３１が収容される収容ケース３７と、払出制御基板３８が収容される収容ケース３９の間に形成される空間Ｋには、該主制御基板３１が収容される収容ケース３７が機構枠２５（パチンコ機１０）から取り外されたか否か（脱着されたか否か）を検知する遊技機用セキュリティ装置としてのセキュリティ装置Ｓが配設されるようになっている。なお、本実施形態のパチンコ機１０では、収容ケース３７が取り外されると、該収容ケース３７に収容される主制御基板３１も一緒にパチンコ機１０から取り外すことができるようになっている。本実施形態において脱着とは、外枠１１、中枠１２及び機構枠２５から遊技機構成部材の固定が解除されること（脱着されること）や、前枠１４や上球皿１５が開状態（外枠１１及び中枠１２との固定（ロック）が解除）されることをいう。
【００１７】
また、保護カバー４７の裏面側には、図２に示すように、遊技場に設置された遊技機管理装置（ホールコンピュータ）ＨＣ（図５に図示する）に対して各種の遊技情報を出力する盤用外部端子板４０が設けられている。盤用外部端子板４０は、主制御基板３１が出力した各種の遊技情報（大当りの情報や遊技状態の情報が入力されるようになっている）を外部側（ホールコンピュータＨＣ側）に出力する複数の端子を備えている。すなわち、盤用外部端子板４０からは、主に遊技状態に関する情報が外部側に出力されるようになっている。
【００１８】
また、保護カバー４７の右側上方には、図２に示すように、遊技場に設置された遊技機管理装置（ホールコンピュータ）ＨＣに対して各種の遊技情報を出力する枠用外部端子板４１が設けられている。枠用外部端子板４１は、球タンク２６の球切れに関する情報、パチンコ機１０から払出された賞球数に関する情報、及びパチンコ機１０から払出された貸し球数に関する情報を外部側（ホールコンピュータＨＣ側）に出力することができるようになっている。すなわち、枠用外部端子板４１からは、主に遊技中の遊技球に関する情報が外部側に出力されるようになっている。
【００１９】
これらの電源基板３５、電源スイッチ基板３６、払出制御基板３８、盤用外部端子板４０、枠用外部端子板４１は、パチンコ機１０の機種に関係なく、共通の規格で製造されている。すなわち、パチンコ機１０の機種に関係なく、共通して使用することが可能とされている。
【００２０】
本実施形態のパチンコ機１０において、セキュリティ装置Ｓは、主制御基板３１が機構枠２５（パチンコ機１０）から取り外された場合（脱着された場合）、枠用外部端子板４１を介して該主制御基板３１が取り外されたことを示す不正検出信号（通知情報）を外部側（ホールコンピュータＨＣ側）に出力することができるようになっている。ホールコンピュータＨＣは、不正検出信号を入力すると、主制御基板３１が取り外されたことを認識し、主制御基板３１が正規のものから不正に製造された不正制御基板に交換された可能性があることを記憶（認知）できるようになっている。ホールコンピュータＨＣの記録（記憶）に基づき遊技店の店員は、不正行為が行われているかもしれないということを認識することができるようになっている。
【００２１】
次に、主制御基板３１を収容する収容ケース３７と、セキュリティ装置Ｓの構成について図３及び図４に基づき説明する。
図３（ａ）及び（ｂ）に示すように、収容ケース３７は、本体部Ｂと、蓋部Ｃから構成されている。そして、主制御基板３１は、該主制御基板３１の全体が収容ケース３７により覆われているとともに、外部から不正な制御素子（ＣＰＵ、ＲＯＭ及びＲＡＭなど）の取り付けや交換されることを防止するため、収容ケース３７にかしめられている。また、収容ケース３７は、主制御基板３１の一部で他の基板（表示制御基板３２、ランプ制御基板３３、音声制御基板３４、電源基板３５、電源スイッチ基板３６、払出制御基板３８、盤用外部端子板４０、枠用外部端子板４１）に各種信号を出力するための接続部３１ａ（図２に図示する）を外部に露出させるようにしている。また、収容ケース３７には、外方向に突出する鉤状の差込リブ３７ｃが形成されている。
【００２２】
次に、セキュリティ装置Ｓの構成について説明する。
図３（ａ）及び（ｂ）には、収容ケース３７（主制御基板３１）及びセキュリティ装置Ｓの簡略化した（主制御基板３１に実装された素子類などを省略した）断面図が示されており、セキュリティ装置Ｓには、凹状のリブ受部Ｓａが形成され、収容ケース３７の差込リブ３７ｃが該リブ受部Ｓａに挿入可能になっている。リブ受部Ｓａには、図４（ａ）及び（ｂ）に示すリブ側アーム部４２ａが出没動作可能な貫通孔Ｓｂが形成されている。なお、リブ受部Ｓａは、差込リブ３７ｃが該リブ受部Ｓａに挿入される又は抜き取られる場合において、該差込リブ３７ｃがリブ受部Ｓａの内面に接触しないような大きさに形成されている。
【００２３】
また、セキュリティ装置Ｓは、作動アーム４２と、検知スイッチ４４を搭載している。図４（ａ）及び（ｂ）に示すように、作動アーム４２は、リブ側アーム部４２ａを備えるとともに、該リブ側アーム部４２ａの一端は連結部４２ｄを介して中アーム部４２ｂの一端と連結されている。さらに、前記中アーム部４２ｂの他端は、連結部４２ｅを介してスイッチ側アーム部４２ｃと連結されている。正面視でリブ側アーム部４２ａ及びスイッチ側アーム部４２ｃには、連結部４２ｄ及び連結部４２ｅがそれぞれ設けられている。そして、前記連結部４２ｄ及び連結部４２ｅは、リブ側アーム部４２ａ及びスイッチ側アーム部４２ｃから突出するように立設されている。また、中アーム部４２ｂの両端には、該中アーム部４２ｂの長手方向に沿って伸びる長穴４２ｆ及び４２ｇが形成されている。そして、前記長穴４２ｆ及び４２ｇには、前記連結部４２ｄ及び連結部４２ｅがそれぞれ摺動可能に嵌め込まれるようになっている。このため、連結部４２ｄ及び連結部４２ｅが長穴４２ｆ及び４２ｇをそれぞれ摺動することにより、リブ側アーム部４２ａと、中アーム部４２ｂと、スイッチ側アーム部４２ｃは、伸縮するリンク機構を構成している。
【００２４】
また、中アーム部４２ｂの中央には、該中アーム部４２ｂの表面４２ｉ及び裏面４２ｊから垂直に突出する一対の突部４２ｈが形成されている。そして、突部４２ｈは、円形状でありセキュリティ装置Ｓ内の突受部（図示しない）に回動可能に挿入されることで中アーム部４２ｂを揺動可能に支持している。また、中アーム部４２ｂに形成される突部４２ｈには、ばね（巻きばね）４３が配設されており、該ばね４３の一端である固定端４３ａは、セキュリティ装置Ｓ内の所定位置に固定されているとともに、該ばね４３の他端である付勢端４３ｂは、中アーム部４２ｂに形成される長穴４２ｇ側の該中アーム部４２ｂの表面４２ｉに固定されるようになっている。
【００２５】
図４（ａ）及び（ｂ）に示すように、検知スイッチ４４は、スイッチ本体４４ａと、検出片４４ｂと、検出部４４ｃを備えるとともに、該検出片４４ｂが検出部４４ｃに接触することで不正を検出する接触型のスイッチとなっている。すなわち、検知スイッチ４４では、検出片４４ｂが検出部４４ｃに接触している場合に「ＯＮ」となり、検出片４４ｂが検出部４４ｃに接触していない場合に「ＯＦＦ」となるようになっている。そして、本実施形態では、検知スイッチ４４が「ＯＮ」となっている場合に不正を検出していることとし、「ＯＦＦ」となっている場合に不正を検出しないこととしている。すなわち、検知スイッチ４４は、主制御基板３１を収容する収容ケース３７が機構枠２５から取り外された場合「ＯＮ」となる。
【００２６】
また、検知スイッチ４４は、セキュリティ装置Ｓ内において、図示しない固定手段（例えば、支持具など）によって前記作動アーム４２のスイッチ側アーム部４２ｃの動作軌道上に位置するように固定されている。このため、作動アーム４２のスイッチ側アーム部４２ｃと、検出片４４ｂの先端部４４ｄと、検出部４４ｃが一直線上に位置するようになっている。したがって、図３（ａ）及び図４（ａ）に示すように、作動アーム４２のスイッチ側アーム部４２ｃと検知スイッチ４４が離間している状態が、検知スイッチ４４が不正を検出していない通常状態となる。一方、図３（ｂ）及び図４（ｂ）に示すように、作動アーム４２のスイッチ側アーム部４２ｃと検知スイッチ４４が接触している状態が、検知スイッチ４４が不正を検出している不正検出状態（異常状態）となる。
【００２７】
本実施形態において、主制御基板３１を収容する収容ケース３７が機構枠２５（パチンコ機１０）に装着（固定）されている場合、該収容ケース３７の差込リブ３７ｃは、セキュリティ装置Ｓのリブ受部Ｓａに挿入されている。このため、作動アーム４２のリブ側アーム部４２ａは、前記差込リブ３７ｃにより没方向へ（検知スイッチ４４に近づく方向へ）移動する。リブ側アーム部４２ａの動作に連動して、中アーム部４２ｂが揺動するとともに、スイッチ側アーム部４２ｃが検知スイッチ４４と離間する方向へ移動する。したがって、スイッチ側アーム部４２ｃ、検出片４４ｂ（先端部４４ｄ）と検出部４４ｃが接触していない通常状態（図３（ａ）及び図４（ａ））となる。なお、通常状態において、ばね４３は、該ばね４３の固定端４３ａと付勢端４３ｂとが近接し、スイッチ側アーム部４２ｃを検知スイッチ４４に近づく方向へ移動させようとする付勢力を発生するようになっている。また、ばね４３が発生する付勢力は、差込リブ３７ｃによってリブ側アーム部４２ａが没方向（検知スイッチ４４に近づく方向）へ押される力（収容ケース３７が機構枠２５に固定されている力）に比較して小さい。このため、通常状態において、作動アーム４２は、該通常状態を維持することができるようになっている。
【００２８】
一方、主制御基板３１を収容する収容ケース３７が機構枠２５（パチンコ機１０）に装着（固定）されていない場合（収容ケース３７の機構枠２５に対する固定が解除される場合）、該収容ケース３７の差込リブ３７ｃは、セキュリティ装置Ｓのリブ受部Ｓａに挿入されていない（リブ受部Ｓａから抜け出る）。このため、ばね４３が発生する付勢力（固定端４３ａと付勢端４３ｂが離間する方向に作用する力）により、作動アーム４２のスイッチ側アーム部４２ｃが検知スイッチ４４に近づく方向へ移動する。したがって、スイッチ側アーム部４２ｃ、検出片４４ｂ（先端部４４ｄ）と検出部４４ｃが接触する不正検出状態（図３（ｂ）及び図４（ｂ））となる。
【００２９】
また、スイッチ側アーム部４２ｃの移動に連動して、中アーム部４２ｂが突部４２ｈを回動中心として揺動し（図４（ｂ）の矢印Ｙ１方向に揺動し）リブ側アーム部４２ａが突方向（図４（ｂ）の矢印Ｙ２方向である検知スイッチ４４から離間する方向）へ移動する。したがって、リブ側アーム部４２ａは、リブ受部Ｓａから突出した状態（突方向へ移動した状態）となる。なお、不正検出状態において、ばね４３は、当該ばね４３の固定端４３ａと付勢端４３ｂとが離間しているが、スイッチ側アーム部４２ｃを検知スイッチ４４に近づく方向へ移動させようとする付勢力を発生している。このため、ばね４３の付勢力によりスイッチ側アーム部４２ｃは、不正検出状態を維持することができるようになっている。
【００３０】
次に、本実施形態のパチンコ機１０において、セキュリティ装置Ｓで不正検出状態を検知するための制御構成（電気的構成及び機械的構成）について図５〜図７に基づき説明する。なお、図５では、電気的に接続されているものを実線で示し、機械的に接続されているものを破線で示している。
【００３１】
セキュリティ装置Ｓは、パチンコ機１０の外部（電源ＡＣ）から電力が供給される電源基板３５に接続され、該電源基板３５を介して電源ＡＣから電力（本実施形態では５［Ｖ］）が供給されるようになっている。また、セキュリティ装置Ｓは、収容ケース３７を介して主制御基板３１と機械的（差込リブ３７ｃにより）に接続されている。すなわち、差込リブ３７ｃがリブ受部Ｓａに挿入されている場合、セキュリティ装置Ｓと主制御基板３１が機械的に接続されており、差込リブ３７ｃがリブ受部Ｓａに挿入されていない場合、セキュリティ装置Ｓと主制御基板３１が機械的に接続されていない状態となる。また、セキュリティ装置Ｓは、枠用外部端子板４１と電気的に接続されており、該枠用外部端子板４１は、ホールコンピュータＨＣと電気的に接続されている。このため、セキュリティ装置Ｓは、枠用外部端子板４１を介してホールコンピュータＨＣと接続されている。なお、主制御基板３１とセキュリティ装置Ｓは、電気的に接続されていないため、枠用外部端子板４１からセキュリティ装置Ｓを介して主制御基板３１と電気的な信号の授受は行えないようになっている。
【００３２】
また、セキュリティ装置Ｓには、検知スイッチ４４、リレー回路４５、信号出力部４６、待機用電源Ｃ１、出力用電源Ｃ２及びリセットスイッチＲＳからなる不正検出回路Ｆが構成されている。そして、セキュリティ装置Ｓは、主制御基板３１の機械的な接続が解除される場合（機構枠２５から取り外される場合）、セキュリティ装置Ｓの不正検出回路Ｆにより主制御基板３１が機構枠２５から取り外されたことを検知し、ホールコンピュータＨＣへその検知結果を出力するようになっている。
【００３３】
次に、不正検出回路Ｆを構成する検知スイッチ４４について説明する。
検知スイッチ４４は、検出片４４ｂ（先端部４４ｄ）と検出部４４ｃが接触していない場合（通常状態である場合）、非通電状態（電流が流れていない状態）となる。一方、検知スイッチ４４は、検出片４４ｂ（先端部４４ｄ）と検出部４４ｃが接触している場合（不正検出状態である場合）、通電状態（電流が流れている状態）となる。すなわち、検知スイッチ４４が組み込まれる不正検出回路Ｆにおいて、検知スイッチ４４の状態が通常状態である場合には、該検知スイッチ４４の部分は短絡していることとなる（電気的に接続されていない状態となる）。また、検知スイッチ４４の状態が不正検出状態である場合には、該検知スイッチ４４の部分は短絡していない電気的に接続されている状態となる。つまり、本実施形態では、不正検出状態を生起する検知スイッチ４４が状態検知部として機能する。
【００３４】
次に、不正検出回路Ｆを構成するリレー回路４５について説明する。
リレー回路４５は、第１コイルＬ１と、第２コイルＬ２を備えるとともに、各コイルＬ１，Ｌ２に対応してリレー端子Ｐ１と、リレー端子Ｐ２が各々設けられている。また、各リレー端子Ｐ１，Ｐ２には、磁力を発する磁性体Ｍ１，Ｍ２がそれぞれ設けられているとともに、リレー端子Ｐ１及びリレー端子Ｐ２のいずれかと接点部Ｐが接触することによる接点状態を形成する切替スイッチＬＳＷが設けられている。なお、接点部Ｐは、磁力により引き付けられるようになっており、磁力により引き寄せられることで各接点状態を形成するようになっている。
【００３５】
本実施形態のリレー回路４５は、２巻線型のラッチングリレー回路である。リレー回路４５において、第１コイルＬ１に通電すると、該第１コイルＬ１内を通過する磁力が発生する。このため、第１コイルＬ１内を通過する磁力により切替スイッチＬＳＷの接点部Ｐは、リレー端子Ｐ１側に引き寄せられる。その結果、リレー端子Ｐ１と切替スイッチＬＳＷの接点部Ｐが接触する第１接点状態が形成される。第１接点状態は、リレー端子Ｐ１に接続される回路部（図６及び図７に示す信号出力部４６と出力用電源Ｃ２）と、切替スイッチＬＳＷに接続される回路部（図６及び図７に示す電源基板３５）が電気的に接続されている状態をいう。一方、リレー回路４５において、第２コイルＬ２を通電すると、該第２コイルＬ２内を通過する磁力が発生する。このため、第２コイルＬ２内を通過する磁力により切替スイッチＬＳＷの接点部Ｐは、リレー端子Ｐ２側に引き寄せられる。その結果、リレー端子Ｐ２と切替スイッチＬＳＷの接点部Ｐが接触する第２接点状態が形成される。第２接点状態は、リレー端子Ｐ２に接続される回路部（図６及び図７に示す短絡端子Ｐ３）と、切替スイッチＬＳＷに接続される回路部（図６及び図７に示す電源基板３５）が電気的に接続されている状態をいう。
【００３６】
また、本実施形態では、各リレー端子Ｐ１，Ｐ２に設けられる磁性体Ｍ１，Ｍ２により、各接点状態を形成した場合、形成した接点状態が解除されないように維持することができるようになっている。すなわち、第１状態が形成された後、接点部Ｐが形成する第１接点状態は、第２コイルＬ２に通電し第２接点状態が形成されるまでの間、第１接点状態が維持されるようになっている。一方、第２状態が形成された後、接点部Ｐが形成する第２接点状態は、第１コイルＬ１に通電し第１接点状態が形成されるまでの間、第２接点状態が維持されるようになっている。なお、磁性体Ｍ１，Ｍ２の磁力は、第１コイルＬ１及び第２コイルＬ２で発生する磁力に比較して弱い大きさの磁力を発生するものである。したがって、磁性体Ｍ１，Ｍ２により形成された各接点状態が保持されている場合であっても、第１コイルＬ１及び第２コイルＬ２の通電に応じた接点状態が切替スイッチＬＳＷにより形成されるようになっている。
【００３７】
また、本実施形態のラッチングリレー回路としては、磁性体Ｍ１，Ｍ２に永久磁石を使用したラッチングリレー回路（例えば、松下電工株式会社製のＤＳリレー）を使用している。本実施形態のリレー回路４５は、永久磁石により切替スイッチＬＳＷの接点状態を保持するような物に比較して小型であるという特性を持っている。また、本実施形態のリレー回路４５は、切替スイッチＬＳＷの切替え（第１接点状態の形成又は第２接点状態の形成）を行うための接点部Ｐを駆動させる駆動電力が小さいという特性を持っている。そして、リレー回路４５を動作させる（接点状態の切替えを行う）ための駆動電圧は、バックアップ電源としての待機用電源Ｃ１の耐圧である定格電圧より低い電圧で駆動させることができるようになっている。したがって、耐圧が電解コンデンサよりも低い電気二重層コンデンサであっても、リレー回路４５の切替スイッチＬＳＷの切替えが行えるようになっている。
【００３８】
また、本実施形態のラッチングリレー回路としては、駆動電力の確保のための供給電力を低電力にするとともに、供給源となる電源ＡＣ（待機用電源Ｃ１）の電力の消費を軽減して切替スイッチＬＳＷ（接点部Ｐ）の切替えを行わせることができるようになっている。なお、本実施形態のリレー回路４５では、定格電圧が５Ｖであって３．５Ｖ以上の電圧を駆動電圧として接点部Ｐの切替えが行えるようになっている。また、本実施形態のリレー回路４５は、外部から与えられる振動に対しても強く、振動により接点状態が解除してしまうなどの不具合も抑制することができるようになっている。すなわち、パチンコ機１０の搬送時などの振動に対しても耐性を有している。また、リレー回路４５は、切替スイッチの切替えを行う駆動電圧が低電圧である（待機用電源Ｃ１の耐圧よりも低い）ラッチングリレー回路であれば、リレー回路４５と構成（磁性体Ｍ１，Ｍ２が電磁石であるなど）が異なっていても良い。本実施形態では、接点状態を形成するとともに各接点状態を保持するリレー回路４５が検知結果保持部として機能する。
【００３９】
次に、不正検出回路Ｆを構成する信号出力部４６について説明する。
信号出力部４６は、当該信号出力部４６に電力が供給されると発光するＬＥＤランプからなる発光素子（図示しない）を備えるとともに、該発光素子が発光する光を検知する光検出素子（図示しない）とを備えている。信号出力部４６は、光検出素子の検出結果に基づき、不正検出信号を出力可能なフォトトランジスタである。本実施形態では、信号出力部４６に電力が供給されると発光素子が発光し、該発光素子の発光を発光検出素子が検出する場合、フォトトランジスタにより枠用外部端子板４１を介してホールコンピュータＨＣに不正検出信号を出力することができるようになっている。なお、信号出力部４６は、光検出素子が光を検出している間、不正検出信号を出力可能である。すなわち、信号出力部４６に電力が供給されている間、不正検出信号をホールコンピュータＨＣに出力するようになっている。本実施形態では、ホールコンピュータＨＣに切替スイッチＬＳＷの接点状態を通知する信号出力部４６が情報通知部として機能する。
【００４０】
次に、不正検出回路Ｆを構成する待機用電源Ｃ１について説明する。
本実施形態の待機用電源Ｃ１は、電解コンデンサに比較して大きな電荷を蓄えることができる電気二重層コンデンサ（定格電圧５．５［Ｖ］、電気容量０．２２［Ｆ］）である。このため、電気二重層コンデンサを電源として使用する場合、電解コンデンサに比較して電力供給手段として長時間に亘って不正検出回路Ｆに電力供給することができるようになっている。そして、本実施形態のセキュリティ装置Ｓでは、電源ＡＣと電源基板３５が接続されていない場合、又は電源スイッチ基板３６によって電力を供給する状態にされていない場合、該セキュリティ装置Ｓに電力が供給されていなくても待機用電源Ｃ１から電力を供給することができるようになっている。
【００４１】
次に、不正検出回路Ｆを構成する出力用電源Ｃ２について説明する。
本実施形態の出力用電源Ｃ２は、電荷を蓄えることができる電解コンデンサ（定格電圧１６［Ｖ］、電気容量１０［μＦ］）である。また、出力用電源Ｃ２は、信号出力部４６への電力の供給が可能であり、セキュリティ装置Ｓに電力が供給されない状態（信号出力部４６に電力が供給されない状態）であっても、前記信号出力部４６への電力の供給が可能となっている。本実施形態では、充放電することで信号出力部４６に電力を供給する出力用電源Ｃ２が蓄電手段及び通知部電源となる。
【００４２】
次に、不正検出回路Ｆを構成するリセットスイッチＲＳについて説明する。
リセットスイッチＲＳは、外部からのスイッチ操作（押圧操作）に基づき「ＯＮ」及び「ＯＦＦ」の切替えが行えるようになっている。また、リセットスイッチＲＳは、押し釦式のスイッチであり、該釦が押された状態が「ＯＮ」状態であり、該釦が押されていない状態が「ＯＦＦ」状態である。そして、リセットスイッチＲＳが「ＯＮ」状態の場合、切替スイッチＬＳＷの接点部Ｐの接点状態を第１接点状態から第２接点状態に強制的に切替えることができるようになっている。すなわち、リセットスイッチＲＳの外部操作（押し釦を押す操作）は、リレー回路４５が不正検出状態から通常状態に切替えることができるリセット操作となる。その結果、検知スイッチ４４の検出結果がクリアされ、不正を検出していない状態となる。また、リセットスイッチＲＳが「ＯＦＦ」状態である場合には、接点部Ｐの接点状態は、第２接点状態に切替えられないようになっている。したがって、外部からスイッチ操作されることでのみ機能するようになっている。本実施形態では、スイッチ操作（外部からの操作）に基づき、不正検出状態から通常状態に移行させることができるリセットスイッチＲＳがリセット手段として機能する。
【００４３】
次に、セキュリティ装置Ｓの不正検出回路Ｆの回路構成について図６及び図７に基づき説明する。
本実施形態のセキュリティ装置Ｓの不正検出回路Ｆは、電源基板３５を介して外部の電源ＡＣから電力が供給されることが可能になっている。電源基板３５は、一対の電源側端子Ｅ１，Ｅ２を有しており、不正検出回路Ｆが有する回路側端子Ｎ１，Ｎ２にそれぞれ接続されるようになっている。セキュリティ装置Ｓは、電源側端子Ｅ１，Ｅ２と回路側端子Ｎ１，Ｎ２を介して電源基板３５との電気的な接続及び解除が可能になっている。そして、回路側端子Ｎ１は、不正検出回路Ｆを流れる電流の整流作用を有するダイオードＤ１と接続されているとともに、リレー回路４５の切替スイッチＬＳＷと接続されている。
【００４４】
前記ダイオードＤ１の他端は、待機用電源Ｃ１と接続されているとともに、検知スイッチ４４のスイッチ端子４４ｅ（検知スイッチ４４）と接続されている。また、スイッチ端子４４ｆは、不正検出回路Ｆを流れる電流の整流作用を有するダイオードＤ２とリレー回路４５の第１コイルＬ１と接続されている。すなわち、検知スイッチ４４は、スイッチ端子４４ｅ，４４ｆを介して不正検出回路Ｆに接続されている。前記待機用電源Ｃ１の他端は、接地されているとともに回路側端子Ｎ２と接続されている。また、待機用電源Ｃ１の他端は、不正検出回路Ｆを流れる電流の整流作用を有するダイオードＤ２と、ダイオードＤ４と、リレー回路４５の第１コイルＬ１と接続されているとともに、第２コイルＬ２と接続されている。前記ダイオードＤ４の他端は、前記第２コイルＬ２の他端と接続されているとともにリセットスイッチＲＳのスイッチ端子ＲＳａに接続されている。リセットスイッチＲＳは、スイッチ端子ＲＳａ，ＲＳｂを介して不正検出回路Ｆに接続されている。また、前記第２コイルＬ２の他端は、リセットスイッチＲＳのスイッチ端子ＲＳａに接続されている。
【００４５】
また、回路側端子Ｎ１に接続される切替スイッチＬＳＷには、第１接点状態と第２接点状態を形成することができる接点部Ｐが設けられている。そして、接点部Ｐと第１接点状態を形成するリレー端子Ｐ１は、該リレー端子Ｐ１と切替スイッチＬＳＷの接点部Ｐとで第１接点状態が形成される場合に不正検出回路Ｆに流れる電流の整流作用を有するダイオードＤ３に接続されているとともにリセットスイッチＲＳのスイッチ端子ＲＳｂに接続されている。前記ダイオードＤ３の他端は、所定の抵抗値（本実施形態では２［ｋΩ］）を有する抵抗Ｒに接続されるとともに、出力用電源Ｃ２に接続されている。前記抵抗Ｒの他端は、信号出力部４６に接続されるとともに、該信号出力部４６の発光素子に接続されている。また、信号出力部４６（前記発光素子）の他端は、接地されているとともに出力用電源Ｃ２の他端と接続されるようになっている。
【００４６】
また、接点部Ｐと第２接点状態を形成するリレー端子Ｐ２には、短絡端子Ｐ３が設けられ、該リレー端子Ｐ２と切替スイッチＬＳＷの接点部Ｐとで第２接点状態が形成される場合に、該短絡端子Ｐ３が短絡しているため通電が行われないようになっている。
【００４７】
次に、通常状態及び不正検出状態における不正検出回路Ｆの動作について図６〜図８に基づき説明する。なお、この説明では、不正検出回路Ｆに電源基板３５を介して電源が供給されていることを前提として説明する。
【００４８】
図６に示すように、不正検出回路Ｆは、主制御基板３１を収容する収容ケース３７が機構枠２５に装着されており、検知スイッチ４４が不正を検出していない場合には（通常状態である場合には）、スイッチ端子４４ｅ，４４ｆ（検知スイッチ４４）が接続されている部分は短絡している（非通電状態となっている）。また、不正検出回路Ｆは、検知スイッチ４４が不正を検出していない（収容ケース３７が脱着されていない）通常状態では必ず切替スイッチＬＳＷの接点部Ｐが第２接点状態を形成するようになっている。そして、接点部Ｐと短絡端子Ｐ３が接続されることにより、回路側端子Ｎ１のダイオードＤ１が接続されていない側は、短絡していることとなる（非通電状態となる）。このため、通常状態の不正検出回路Ｆでは、回路側端子Ｎ１とダイオードＤ１が接続されるとともに、該ダイオードＤ１と待機用電源Ｃ１が接続されるようになっている。さらに、不正検出回路Ｆは、待機用電源Ｃ１と回路側端子Ｎ２が接続される回路と等価となる通常状態となる。また、通常状態では、待機用電源Ｃ１は、電源と接続されており、電源ＡＣが電力供給状態である場合には、該電源ＡＣの電力供給により充電することが可能となっている。そして、待機用電源Ｃ１は、電源ＡＣから電力が供給されると瞬時に充電を完了させ、自己放電が可能な状態となり、電源ＡＣから電力の供給が停止される場合に自己放電するとともにバックアップ電源として機能する。
【００４９】
そして、図７に示すように、不正検出回路Ｆの通常状態において、主制御基板３１を収容する収容ケース３７が機構枠２５から脱着され、検知スイッチ４４が不正を検出する場合には（不正検出状態である場合には）、検知スイッチ４４が接続されている部分が通電可能となり、非通電状態から通電状態へと移行する。このため、図７に示すように、ダイオードＤ１と第１コイルＬ１が電気的に接続されている状態となる。そして、第１コイルＬ１に電流が流れると切替スイッチＬＳＷにおいて、接点部Ｐは、第２接点状態から第１接点状態を形成する。すなわち、不正検出回路Ｆは、通常状態である第２接点状態から不正検出状態である第１接点状態へと移行する。このため、回路側端子Ｎ１と信号出力部４６が接続される。したがって、不正検出回路Ｆは、信号出力部４６に電源ＡＣから電力が供給可能な状態となり、不正検出信号をホールコンピュータＨＣに出力可能な状態となる。また、本実施形態のパチンコ機１０では、一度、不正検出状態となり第１接点状態が形成されると、第２コイルＬ２に電流が流れ第２接点状態が形成されるまでの間、第１接点状態が保持されるようになっている。
【００５０】
また、本実施形態では、切替スイッチＬＳＷが第１接点状態を保持している場合（図７の状態）、リセットスイッチＲＳが外部操作されることでリレー回路４５の第２コイルＬ２に通電可能な状態にすることができる。このため、図８に示すように、第２コイルＬ２に通電することで該第２コイルＬ２内に磁力が発生し、接点部Ｐが第２接点状態を形成するようになる。また、本実施形態では、リセットスイッチＲＳが外部操作され、第２コイルＬ２に通電可能な状態となっても電源ＡＣから電力供給が可能な状態でない場合には、該第２コイルＬ２に通電することができないようになっている。すなわち、電源ＡＣが電力供給が可能な状態にのみリセットスイッチＲＳの外部操作が有効となり、有効となっている場合に該外部操作に基づき不正検出回路Ｆは、通常状態にリセットされるようになっている。したがって、不正検出回路Ｆは、リセットスイッチＲＳを外部操作しない限り、不正検出状態から通常状態へ移行させることができないようになっている。
【００５１】
また、本実施形態のパチンコ機１０では、電源ＡＣから電力が不正検出回路Ｆ（セキュリティ装置Ｓ）に供給可能でない状態では、待機用電源Ｃ１からリレー回路４５（不正検出回路Ｆ）に電力の供給が行えるようになっている。電源ＡＣから電力が供給可能でないとは、電源基板３５の電源側端子Ｅ１，Ｅ２と不正検出回路Ｆの回路側端子Ｎ１，Ｎ２が接続されていない、又は電源基板３５に外部（電源ＡＣ）から電力自体が供給されていない状態である。
【００５２】
電源ＡＣから電力が供給されていない状態の通常状態において、電気二重層コンデンサで構成される待機用電源Ｃ１は、検知スイッチ４４が不正を検出し不正検出状態になった場合に切替スイッチＬＳＷを切替えるためのバックアップ電源として待機するようになっている。電源ＡＣから電力の供給が可能でない状態において待機用電源Ｃ１は、発明者の実験により、バックアップ電源が電解コンデンサで構成されていた場合の自己放電の可能期間である二日間よりは長く自己放電し続けることが確認されている。また、本実施形態の待機用電源Ｃ１は、最大で２ヶ月間自己放電し続けることが確認されている。すなわち、電源から電力が供給されていない非供給状態であっても不正検出回路Ｆにおける通常状態では、待機用電源Ｃ１によって従来より（二日間より）長い間に亘って切替スイッチＬＳＷの切替えが行えるようになっている。また、待機用電源Ｃ１は、本実施形態のパチンコ機１０に搭載される場合、不正検出回路Ｆに電源が供給されていない状況下でより長い期間の間、収容ケース３７（主制御基板３１）が機構枠２５から取り外されたか否かを監視することができるようになっている。したがって、パチンコ機１０が遊技店に設置される前に該遊技店の倉庫に保管されている場合、電源ＡＣから電力がパチンコ機１０に供給されていないときでも収容ケース３７（主制御基板３１）の脱着状態を監視するようになっている。また、他の製品の入れ替えのため遊技店から撤去された中古のパチンコ機１０であっても、正規に製造された主制御基板３１の脱着状態を長期に亘って監視することができるようになっている。なお、発明者による実験は、特定の環境下で行ったものであるため、必ずしも本実施形態の不正検出回路Ｆに待機用電源Ｃ１を搭載した実験により同じ結果を得られるものでなく誤差が生じるものである。
【００５３】
また、本実施形態において、待機用電源Ｃ１が放電し続けているとは、切替スイッチＬＳＷの接点状態を移行させるのに必要な電力を常に供給することができる状態を維持していることであって、切替スイッチＬＳＷの接点状態を移行させることができない場合には放電が終了しているとみなしている。
【００５４】
また、電源ＡＣから電力が供給されていない状態の通常状態において、主制御基板３１を収容する収容ケース３７が機構枠２５から脱着され、検知スイッチ４４が不正を検出する（不正検出状態である）場合には、検知スイッチ４４が接続されている部分が通電可能となり、非通電状態から通電状態へと移行する。このため、図７に示すように、待機用電源Ｃ１と第１コイルＬ１が電気的に接続されている状態となる。そして、第１コイルＬ１に電流が流れると切替スイッチＬＳＷの接点部Ｐの接点状態が第２接点状態から第１接点状態へと移行する。すなわち、不正検出回路Ｆでは、通常状態である第２接点状態から不正検出状態である第１接点状態へと移行することとなる。
【００５５】
また、待機用電源Ｃ１からみて信号出力部４６側には、ダイオードＤ１が配置されている。このため、待機用電源Ｃ１から電力の供給を行う場合においても、該待機用電源Ｃ１から信号出力部４６への電力の供給は行われないようになっている。このため、電源ＡＣから電力が供給されておらず、不正検出状態が生起された場合、ホールコンピュータＨＣと枠用外部端子板４１が接続されていたとしても信号出力部４６から不正検出信号は出力されないようになっている。しかし、リレー回路４５では、一旦、第１接点状態を形成した場合、該第１接点状態を継続的に維持することができる。したがって、次に電源ＡＣから電力が供給される場合、不正検出回路Ｆでは不正検出状態が保持されているため、リレー端子Ｐ１を経由して信号出力部４６に電力が供給されることとなる。すなわち、リレー回路４５の接点状態に基づき第１接点状態が形成されている場合、信号出力部４６によりホールコンピュータＨＣに対して不正検出信号が出力されるようになっている。
【００５６】
また、ホールコンピュータＨＣは、不正検出信号を含む各種の情報（不正検出信号など）を入力する場合、所定時間（本実施形態では１６ｍｓ）以上の入力時間を条件に信号の入力を有効と判定するようになっている。ホールコンピュータＨＣは、前記所定時間以下で入力する信号に対しては、ノイズによる誤検出防止のため、信号の入力を無効と判定するようになっている。本実施形態のパチンコ機１０の不正検出回路Ｆでは、電源ＡＣから電力が供給可能な状態であって、不正検出状態が生起される場合、出力用電源Ｃ２が充電されるようになっている。また、電源ＡＣから電力が供給可能でない状態であって、不正検出状態が生起されている場合、電源ＡＣから電力が供給可能な状態となることで出力用電源Ｃ２が充電されるようになっている。そして、出力用電源Ｃ２は、不正検出状態であってリセットスイッチＲＳの外部操作に基づき電源ＡＣから電力の供給が停止された場合に、電力を信号出力部４６に供給することができるようになっている。したがって、信号出力部４６は、出力用電源Ｃ２から電力を継続的に供給されることにより、不正検出信号を継続的に出力することができるようになる。
【００５７】
出力用電源Ｃ２は、電力を供給する場合、抵抗Ｒを介して信号出力部４６に電力を供給する。そして、出力用電源Ｃ２が信号出力部４６に電力を供給することができる最大時間は、出力用電源Ｃ２の電気容量と供給先の抵抗Ｒの関係から求めることができる。本実施形態では、出力用電源Ｃ２が電力の供給可能な最大時間は、供給先（信号出力部４６）の抵抗Ｒ（２［ｋΩ］）と電気容量（１０［μＦ］）の積により２０［ｍｓ］と求めることができる。すなわち、出力用電源Ｃ２は、電源ＡＣから電力の供給が停止して最大で２０［ｍｓ］の間、信号出力部４６に電力を供給し続けることができる。したがって、不正検出回路Ｆにおいて、不正検出状態が生起された直後に電源ＡＣから電力の供給が停止された場合であっても、信号出力部４６は、ホールコンピュータＨＣが信号の入力を有効と判定することができる１６［ｍｓ］の間は信号を出力し続けることができる。なお、出力用電源Ｃ２は、電源ＡＣからの電力により充電される場合、一瞬（限りなく零に近い間）で充電が完了されるため、不正検出状態が生起されて第１接点状態が形成されると略同時に充電が完了するようになっている。このため、不正検出状態が生起されている状態において、直接電源ＡＣと信号出力部４６の電気的な接続が断たれた場合であっても、信号出力部４６は、出力用電源Ｃ２が接続されているならば不正検出信号を継続的に出力可能である。
【００５８】
したがって、本実施形態によれば、以下に示す効果を得ることができる。
（１）電源ＡＣから電力が供給されている状態において、切替スイッチＬＳＷの接点部Ｐの接点状態が通常状態から不正検出状態に切替わると信号出力部４６に電力が供給され、その電力供給により信号出力部４６が不正検出信号を出力する。そして、リセットスイッチＲＳの外部操作により切替スイッチＬＳＷが不正検出状態から通常状態に切替えられると、信号出力部４６に対して電源ＡＣからの電力供給が停止し、不正検出信号の出力も停止する。このような構成においては、主制御基板３１（収容ケース３７）の交換などの不正行為時にリセットスイッチＲＳの外部操作も同時に行われると、信号出力部４６の不正検出信号を出力する時間が短く、不正検出信号の受け取り側であるホールコンピュータＨＣが該不正検出信号を正しく受け取ることができない虞がある。また、電源ＡＣからの電力が非供給状態において、主制御基板３１（収容ケース３７）の交換などの不正行為が行われる可能性もある。その場合、不正検出状態であって生起された該不正検出状態を通常状態に切替えるために電源ＡＣからの電力の供給とともにリセットスイッチＲＳの外部操作も同時に行われると、不正検出信号の受け取り側であるホールコンピュータＨＣが該不正検出信号を正しく受け取ることができない虞がある。このため、リセットスイッチＲＳの外部操作により不正検出状態から通常状態に切替えられる場合には出力用電源Ｃ２から信号出力部４６に電力を供給することで、電源ＡＣからの電力供給が停止した場合であっても、継続して不正検出情報を出力することができる。
【００５９】
（２）出力用電源Ｃ２であるコンデンサは、不正検出状態時に前記電源ＡＣから電力が供給されることで充電することができ、放電することで信号出力部４６に電力を供給することができる。このため、出力用電源Ｃ２は、信号出力部４６が不正検出信号を出力するための電力を供給したことで蓄えた電力がなくなったとしても、電源ＡＣから電力が供給されることで充電を行い、再び信号出力部４６へ電力が供給可能な状態になることができる。したがって、出力用電源Ｃ２は、充放電を繰り返すことで複数回の使用が可能なため、該出力用電源Ｃ２の交換に要する周期を長期に保つことができる。すなわち、交換に要する作業及び部品のコストを削減することができる。
【００６０】
（３）また、出力用電源Ｃ２であるコンデンサは、通常状態時には充電されていない状態（放電できない又は放電し切った状態）であり、不正検出状態時に電源ＡＣから電力が供給されることで充電することができる。出力用電源（コンデンサ）Ｃ２は、充電されている状態において、電源ＡＣから電力の供給が停止される場合、放電することができる状態となる。すなわち、出力用電源（コンデンサ）Ｃ２は、充電されている状態において、電力の供給が停止することを契機として放電するため、コンデンサから信号出力部４６への電力の供給に関して特別な制御手段を設ける必要がなくなる。したがって、制御構成が複雑になることを抑制するとともに、簡易な構成とすることでコストの削減も実現することができる。
【００６１】
（４）一旦、不正検出状態が生起された場合には、リレー回路（ラッチングリレー回路）４５において、リセットスイッチＲＳの外部操作により不正検出状態から通常状態に切替スイッチＬＳＷが切替えられるまでの間、切替スイッチＬＳＷは不正検出状態を継続的に保持するようにした。すなわち、切替スイッチＬＳＷは、リセットスイッチＲＳの外部操作以外では不正検出状態から通常状態へ切替えられることがないようにした。このため、不正検出状態中に待機用電源Ｃ１の放電が終了した場合や、電源ＡＣからの電力供給が断たれた場合であっても、次回の電力供給時まで切替スイッチＬＳＷの接点状態（検知結果）を保持することができる。したがって、不正検出状態の検知後も接点状態（検知結果）を反映させることで、不正行為が行われた可能性があることを確実に通知することができる。
【００６２】
（５）生起される不正検出状態に対して、リセットスイッチＲＳの外部操作がなされず直接電源ＡＣから信号出力部４６への電力供給が断たれる可能性もある。このため、電源ＡＣからの電力の供給態様が供給状態から非供給状態に移行する場合（電源ＡＣから信号出力部４６への電力供給が断たれる場合）であっても、出力用電源Ｃ２が接続されてさえいれば継続して不正検出信号を出力することができる。
【００６３】
なお、上記実施形態は以下のように変更してもよい。
・本実施形態において、出力用電源Ｃ２は、電源ＡＣから電力が供給状態である場合に充電し、電源ＡＣから電力が非供給状態である場合に放電することができる蓄電手段で構成しても良い。この場合、蓄電手段は、少なくともホールコンピュータＨＣにノイズと判定されないための時間（例えば、１６［ｍｓ］）だけ継続して信号出力部４６に電力を供給する能力を有するものとする。
【００６４】
・本実施形態において、出力用電源Ｃ２は、充放電可能な充電池（充電乾電池）で構成しても良い。この場合、電源ＡＣから電力が供給状態である場合に充電し、不正検出状態であって電源ＡＣからの電力が非供給状態となる場合に信号出力部４６に電力を供給できるように構成する。すなわち、信号出力部４６に電力を供給する場合には、その供給を制御する制御手段を設ける。例えば、通常状態の不正検出回路Ｆでは、充電池を電源ＡＣから電力が供給可能に不正検出回路Ｆに接続し、信号出力部４６と電気的に接続されていないようにする。そして、不正検出状態が生起された不正検出回路Ｆでは、電源ＡＣから電力の供給が停止する場合、制御手段により充電池と信号出力部４６を電気的な接続状態を形成させ、充電池から該信号出力部４６に電力を供給できる状態になるようにする。
【００６５】
・本実施形態では、出力用電源Ｃ２は、乾電池で構成しても良い。この場合、不正検出状態であって電源ＡＣからの電力が非供給状態となる場合に信号出力部４６に電力を供給できるように構成する。すなわち、信号出力部４６に電力を供給する場合には、その供給を制御する制御手段を設ける。例えば、通常状態の不正検出回路Ｆでは、乾電池を信号出力部４６と電気的に接続されていないようにする。そして、不正検出状態が生起された不正検出回路Ｆでは、電源ＡＣから電力の供給が停止する場合、制御手段により乾電池と信号出力部４６を電気的な接続状態を形成させ、充電池から該信号出力部４６に電力を供給できる状態になるようにする。
【００６６】
・本実施形態において、リセット手段は、赤外線を利用した赤外線通信によりリセットスイッチＲＳを「ＯＮ」状態にできるようにしても良い。また、専用のキーと、専用のキー挿入口を設け、該キー挿入口に前記専用のキーを挿入し、該キーを回動することでリセットスイッチＲＳのスイッチが「ＯＮ」状態になるようにしても良い。すなわち、リセット手段としては、外部操作でリセットスイッチＲＳを「ＯＮ」状態にすることができる構成であれば良い。
【００６７】
・本実施形態は、主制御基板３１以外の外枠１１、中枠１２、前枠１４、上球皿１５の枠類の脱着状態（開閉状態）や、各種球通路（球タンク２６、整流樋２７、区分供給経路部２８、案内通路３０）及び、各種処理部（表示制御基板３２、ランプ制御基板３３、音声制御基板３４、電源基板３５、電源スイッチ基板３６、払出制御基板３８）などの遊技機構成部材の脱着状態を検出するようにしても良い。この場合、本実施形態のセキュリティ装置Ｓに設けた構成により遊技機構成部材の脱着状態を検出することとなる。また、前枠１４の開閉状態を検出し、開状態である場合に不正検出信号をホールコンピュータＨＣに出力するようにしても良い。また、このような構成の場合、ホールコンピュータＨＣに出力すると同時に各制御基板（主制御基板３１、表示制御基板３２、ランプ制御基板３３、音声制御基板３４など）に不正検出信号を出力し、パチンコ機１０上においても不正を検出したことを報知（通知）するようにしても良い。報知態様としては、装飾ランプ１６を点灯させたり、スピーカ１７により警告音を出力させたり、可変表示器Ｈで警告表示させるようにする。本別例では、外枠１１、中枠１２、前枠１４、上球皿１５の枠類、各種球通路（球タンク２６、整流樋２７、区分供給経路部２８、案内通路３０）及び、各種処理部（表示制御基板３２、ランプ制御基板３３、音声制御基板３４、電源基板３５、電源スイッチ基板３６、払出制御基板３８）が遊技機構成部材となる。
【００６８】
・本実施形態は、バックアップ電源である待機用電源Ｃ１により、信号出力部４６に電力が供給できるようにしても良い。この場合、図６〜図８の不正検出回路Ｆは、待機用電源Ｃ１と信号出力部４６とをダイオードＤ１を介さずに接続するように構成される。すなわち、出力用電源Ｃ２は、待機用電源Ｃ１によっても充電することが可能であり、電源ＡＣから電力が非供給状態であってもホールコンピュータＨＣに接続されていれば不正検出信号を出力することができるようになる。
【００６９】
次に、上記実施形態及び別例から把握できる技術的思想を以下に追記する。
（イ）前記ラッチングリレー回路は、前記切替スイッチを前記異常状態に切替えた場合には、前記リセット手段により前記通常状態から前記異常状態に切替えられるまでの間、該異常状態を継続的に保持することを特徴とする請求項１〜請求項３のうちいずれか一項に記載の遊技機。
【００７０】
（ロ）前記通知部電源は、前記異常状態であって前記電源が供給状態から非供給状態に移行する場合でも前記情報通知部へ電力を供給することを特徴とする請求項１〜請求項３及び技術的思想（イ）のうちいずれか一項に記載の遊技機。
【図面の簡単な説明】
【００７１】
【図１】パチンコ遊技機の機表側を示す正面図。
【図２】パチンコ遊技機の機裏側を示す背面図。
【図３】（ａ）、（ｂ）は、主制御基板を収容する収容ケースを下方から見た断面図。
【図４】（ａ）、（ｂ）は、作動アームを説明する模式図。
【図５】本実施形態のセキュリティ装置の制御構成を示したブロック図。
【図６】通常状態時の不正検出回路を示す回路図。
【図７】不正検出状態時の不正検出回路を示す回路図。
【図８】リセット時の不正検出回路を示す回路図。
【符号の説明】
【００７２】
ＡＣ…電源、Ｃ１…待機用電源、Ｃ２…出力用電源、Ｅ１，Ｅ２…電源側端子、ＨＣ…ホールコンピュータ、Ｌ１…第１コイル、Ｌ２…第２コイル、ＬＳＷ…切替スイッチ、Ｍ１，Ｍ２…磁性体、Ｎ１，Ｎ２…回路側端子、Ｐ１，Ｐ２…リレー端子、ＲＳ…リセットスイッチ、Ｒ…抵抗、１０…パチンコ機、３１…主制御基板、４４…検知スイッチ、４４…リレー回路、４６…信号出力部。
【図１】
0004790468.tif 000002
【図２】
0004790468.tif 000003
【図３】
0004790468.tif 000004
【図４】
0004790468.tif 000005
【図５】
0004790468.tif 000006
【図６】
0004790468.tif 000007
【図７】
0004790468.tif 000008
【図８】
0004790468.tif 000009